(57)【要約】【課題】  本体部と蓋体部とが回動可能に連結された携帯電話機やＰＤＡなどの携帯通信端末において、着信や受信電子メールの内容や種別を目視することなく把握することを可能とする。【解決手段】  本体部１０と、本体部１０に回動軸３０を介して連結された蓋体部２０とを備えた携帯通信端末１であって、受信メール又は着信信号の属性を判定する属性判定部１６０ａと、属性判定部１６０ａが判定した属性に応じて、回動軸３０の回動摩擦抵抗を変化させる抵抗付加部１８０とを備える。【選択図】      図２
2005260609.tif 000002
【特許請求の範囲】
【請求項１】
本体部と、該本体部に回動軸を介して連結された蓋体部とを備えた携帯通信端末であって、
受信メール又は着信信号の属性を判定する属性判定部と、
前記属性判定部が判定した属性に応じて、前記回動軸の回動摩擦抵抗を変化させる抵抗付加部と
を備えることを特徴とする携帯通信端末。
【請求項２】
前記抵抗付加部は、前記本体部から蓋体部側可動部分に対して、又は蓋体部から本体部側可動部分に対して進退可能に設けられた押圧軸を備え、該押圧軸を前記蓋体部側可動部分又は前記本体部側可動部分に押圧させることにより前記回動摩擦抵抗を変化させることを特徴とする請求項１に記載の携帯通信端末。
【請求項３】
前記回動軸は、金属で形成され、
前記抵抗付加部は、前記回動軸に磁力を付加することにより前記回動摩擦抵抗を変化させる
ことを特徴とする請求項１に記載の携帯通信端末。
【請求項４】
前記属性判定部は、
受信メールに含まれるキーワードと、該受信メールの重要度とを対応付けるテーブルデータを備え、該受信メールに含まれるキーワードについて該テーブルデータを照合し、この照合結果に基づいて受信メールの属性を判定することを特徴とする請求項１に記載の携帯通信端末。
【請求項５】
前記属性判定部は、
着信信号の発信元と、該発信元の重要度とを対応付けるテーブルデータを備え、着信信号の発信元について該テーブルデータを照合し、この照合結果に基づいて受信メールの属性を判定することを特徴とする請求項１に記載の携帯通信端末。
【請求項６】
本体部と、該本体部に回動軸を介して連結された蓋体部とを備えた携帯通信端末の制御方法であって、
属性判定部により受信メール又は着信信号の属性を判定するステップと、
前記属性判定部が判定した属性に応じて、抵抗付加部により前記回動軸の回動摩擦抵抗を変化させるステップと
を備えることを特徴とする携帯通信端末の制御方法。
【発明の詳細な説明】
【技術分野】
【０００１】
本発明は、本体部と蓋体部とが回動可能に連結された携帯電話機やＰＤＡ（Personal Digital Assistance）などの携帯通信端末に関する。
【背景技術】
【０００２】
近年において、携帯電話機やＰＤＡ等の携帯通信端末では、大画面化と携帯性という要請に応えるべく、本体を、本体部と蓋体部との２つに分割し、本体部に操作ボタン等の操作デバイスを配置し、一方の蓋体部に液晶ディスプレイ等の表示部を配置する構成とするものが普及している。これら本体部と蓋体部は、これらを折り畳み可能としたり、蓋体を回転可能とするなど、本体部に対して蓋体部が回動するように連結することにより機械本体のコンパクト化を実現している（例えば、特許文献１参照）。
【０００３】
その一方で、かかる携帯通信端末では、その通信機能により通話やデータ通信、電子メールの送受信を行えるのが一般的となっており、携帯通信端末を折り畳む等してコンパクトにした状態でも着信に対する留守応答（例えば留守録音など）や電子メールの受信が行える。そして、ユーザーは、携帯電話機を開き、蓋体部に配置された表示部を視認しつつ、本体部に配置された操作部を操作して、留守録音を聴いたり、受信メールを閲覧したりすることができる。
【特許文献１】特開2003-283621号公報
【発明の開示】
【発明が解決しようとする課題】
【０００４】
しかしながら、上述した従来の携帯通信端末では、留守録音を聴いたり、受信メールを閲覧するためには、蓋体部に配置された表示部を目視しつつ操作、閲覧しなければ、留守録音や電子メールの内容を確認することができない。したがって、留守録音や受信メールが多量にある場合には、その一つ一つを目視確認しなければならず、例えば、所定の発信元や重要なメールなど、その種別を瞬時に判断することが困難である。また、例えば、会議中や満員電車内など、ユーザーの使用状況によっては、表示部を開いて目視することすら困難なこともある。
【０００５】
本発明は、上記問題を解決すべくなされたものであり、本体部と蓋体部とが回動可能に連結された携帯電話機やＰＤＡなどの携帯通信端末において、着信や受信電子メールの内容や種別を目視することなく把握することのできる携帯通信端末及びその制御方法を提供することをその課題とする。
【課題を解決するための手段】
【０００６】
上記課題を解決するために、本発明は、本体部と、本体部に回動軸を介して連結された蓋体部とを備えた携帯通信端末であって、受信メール又は着信信号の属性を判定する属性判定部と、属性判定部が判定した属性に応じて、回動軸の回動摩擦抵抗を変化させる抵抗付加部とを備える。
【０００７】
このような本発明によれば、受信した電子メールや着信の属性に応じて、蓋体部を開く際の回動抵抗を変化させるため、ユーザーは、蓋体の回動操作の時点で、受信した電子メールや着信の属性を、目視確認することなく瞬時に把握することができる。
【０００８】
上記発明において、抵抗付加部は、本体部から蓋体部側可動部分に対して、又は蓋体部から本体部側可動部分に対して進退可能に設けられた押圧軸を備え、押圧軸を蓋体部側可動部分又は本体部側可動部分に押圧させることにより回動摩擦抵抗を変化させることが好ましい。この場合には、押圧軸を蓋体部又は本体部に向けて進出させて押圧することにより、蓋体部を回動する際の摩擦抵抗を変化させることができる。なお、押圧軸を押圧する圧力を変化させたり、押圧軸を複数本も受けて進出させる本数を調節したりすることによって、回動摩擦抵抗を段階的に変化させてもよく、これにより受信メール等の属性を段階的に表現することができる。
【０００９】
上記発明において、回動軸は、金属で形成され、抵抗付加部は、回動軸に磁力を付加することにより回動摩擦抵抗を変化させることが好ましい。この場合には、回動軸に磁力を付加することにより、蓋体部を回動する際の摩擦抵抗を変化させることができる。なお、磁力を付加する手段としては、回動軸に進退可能に配置した磁石や、電気的な制御により磁力を付加する電磁石などを用いることができる。この際、磁石を複数個設け、進退させる磁石を切り替えたり、電磁石に印加する電圧を調節したりすることによって、回動摩擦抵抗を段階的に変化させてもよく、これにより受信メール等の属性を段階的に表現することができる。
【００１０】
上記発明において、属性判定部は、受信メールに含まれるキーワードと、受信メールの重要度とを対応付けるテーブルデータを備え、受信メールに含まれるキーワードについてテーブルデータを照合し、この照合結果に基づいて受信メールの属性を判定することが好ましい。この場合には、発信元のメールアドレスやドメイン、氏名などに基づいて、受信メールの重要度を定めることができ、受信したメールの発信元に応じて蓋体部の回動摩擦抵抗を変化させることができる。
【００１１】
上記発明において、属性判定部は、着信信号の発信元と、発信元の重要度とを対応付けるテーブルデータを備え、着信信号の発信元についてテーブルデータを照合し、この照合結果に基づいて受信メールの属性を判定することが好ましい。この場合には、着信履歴や、留守録音機能において、発信元の電話番号などに基づいて、着信の重要度を定めることができ、発信元に応じて蓋体部の回動摩擦抵抗を変化させることができる。
【発明の効果】
【００１２】
以上説明したように本発明によれば、本体部と蓋体部とが回動可能に連結された折り畳み式や回転式の携帯電話機やＰＤＡなどにおいて、蓋体部を回動させる際の摩擦抵抗の変化により、着信や受信電子メールの内容や種別を報知するため、ユーザーは、着信履歴や受信メールの内容を目視することなく、その内容や重要度等の種別を把握することができる。
【発明を実施するための最良の形態】
【００１３】
（携帯通信端末の構成）
本発明の実施形態について図面を参照しながら説明する。図１は、本実施形態に係る携帯通信端末１の外観を示す正面図である。
【００１４】
同図に示すように、携帯通信端末１は、本体部１０と、回転ジョイント部３を介して本体部１０に連結された蓋体部２０とを備え、いわゆるジャックナイフ式の折り畳み構造を有する。本体部１０には、番号キー１６６等の操作デバイスが配置されており、蓋体部２０には、ＬＥＤ１６７等の表示デバイスが配置されている。そして、通話時にあっては、同図（ａ）に示すように、蓋体部２０を回転させ、本体部１０から立ち上がった状態とし、未使用時においては、同図（ｂ）に示すように、蓋体部２０を本体部１０に対して回動させ折り畳み、蓋体部２０と本体部１０とを重ね合わせた状態とする。
【００１５】
前記回転ジョイント部３は、本実施形態では、蓋体部２０を本体部１０に対して水平に回転させるとともに、回動軸３０の摩擦抵抗を変化させる機構を備えており、本体部１０の操作面に対して垂直に設けられた回動軸３０と、この回動軸３０の周囲に配置された押圧軸３１ａ及び３１ｂとを有している。押圧軸３１ａ及び３１ｂは、本実施形態では、本体部１０の操作面から垂直に突出され、折り畳まれた蓋体部２０の背面（表示面の裏側）に垂直に押圧される。
【００１６】
図２は、本実施形態に係る携帯通信端末１の内部構成を示すブロック図である。同図に示すように、携帯通信端末１は、アンテナ１０１に接続されたデュプレクサ１０２と、このデュプレクサ１０２に接続された受信系モジュール及び送信系モジュールとを備えている。
【００１７】
受信系モジュールとしては、低ノイズアンプ１１０、ミキサ１１１、ＩＦアンプ１１２、直交ミキサ１１３、Ａ／Ｄコンバータ１１４、復調器１１５、チャネルデコーダ１１６、音声デコーダ１１７、Ｄ／Ａコンバータ１１８、スイッチ付きアンプ１１９、及びスピーカ１２０を備えている。一方、送信系モジュールとしては、マイク１４０、アンプ１３９、Ａ／Ｄコンバータ１３８、音声エンコーダ１３７、チャネルエンコーダ１３６、変調器１３５、Ｄ／Ａコンバータ１３４、直交ミキサ１３３、ＩＦアンプ１３２、ミキサ１３１、及びパワーアンプ１３０を備えている。
【００１８】
また、携帯通信端末１は、制御系モジュールとして、シンセサイザ１０３、タイムベース１５０、ＣＰＵ１６０、ＲＡＭ１６２、ＲＯＭ１６３、ＥＥＰＲＯＭ１６１を備え、ユーザーインターフェース系モジュールとして、ジョグダイヤル１６４、ＬＣＤ１６５、番号キー１６６、ＬＥＤ１６７、タッチセンサ１６８、及びバイブレータ１７４を備え、さらに、電源系モジュールとして、電源系電池１７１、電源１７２、及びＡ／Ｄコンバータ１７３を備える。
【００１９】
前記アンテナ１０１は、電波回線を介して基地局（図示せず）に対し信号を送受信する。デュプレクサ１０２は、送受信される信号の入出力を切り替える回路であり、アンテナ１０１が受信した信号を低ノイズアンプ１１０に入力し、パワーアンプ１３０から出力された信号をアンテナ１０１に出力する。
【００２０】
受信系モジュールにおいて、低ノイズアンプ１１０は、デュプレクサ１０２から入力された信号を増幅し、ミキサ１１１に出力する。ミキサ１１１は、低ノイズアンプ１１０の出力を受け、特定の周波数だけ分離して中間周波数信号として出力する。ＩＦアンプ１１２は、ミキサ１１１から出力された中間周波数信号を増幅する。直交ミキサ１１３は、ＩＦアンプ１１２の出力を受け直交復調する。Ａ／Ｄコンバータ１１４は、直交ミキサ１１３の出力をデジタル化する。復調器１１５は、Ａ／Ｄコンバータ１１４の出力を復調する。チャネルデコーダ１１６は、復調器１１５の出力に対して誤り訂正を行う。誤り訂正を行った信号には、制御メッセージ及び音声データが含まれる。制御メッセージはＣＰＵ１６０に、音声データは音声デコーダ１１７に送出される。
【００２１】
かかるチャネルデコーダ１１６から音声デコーダ１１７に入力された信号は、音声データにデコードされ、Ｄ／Ａコンバータ１１８に受け渡される。Ｄ／Ａコンバータ１１８は音声デコーダ１１７の出力をアナログ信号に変換する。スイッチ付きアンプ１１９は、ＣＰＵ１６０からの制御信号に基づいて、適宜のタイミングで切り替えられ、スイッチＯＮの状態においてＤ／Ａコンバータ１１８の出力を増幅する。スピーカ１２０はスイッチ付きアンプ１１９の出力を増幅する。
【００２２】
一方、送信系モジュールにおいて、マイク１４０は、ユーザーからの音声信号を受け、この音声信号をアナログ信号として出力する。アンプ１３９は、マイク１４０から出力されるアナログ信号を増幅する。Ａ／Ｄコンバータ１３８は、アンプ１３９の出力をデジタル信号に変換する。音声エンコーダ１３７はＡ／Ｄコンバータ１３８の出力をコード化して圧縮し、音声データとして出力する。チャネルエンコーダ１３６は、ＣＰＵ１６０からの制御メッセージと音声エンコーダ１３７からの音声データとを合わせ、誤り訂正符号を付加する。
【００２３】
そして、変調器１３５は、チャネルエンコーダ１３６の出力を変調する。Ｄ／Ａコンバータ１３４は、変調器１３５の出力をアナログ信号に変換する。直交ミキサ１３３は、Ｄ／Ａコンバータ１３４の出力を、ＩＦ周波数信号（中間周波数信号）に変換する。ＩＦアンプ１３２は直交ミキサ１３３の出力を増幅する。ミキサ１３１は、ＩＦアンプ１３２の出力する信号の周波数を上げる。パワーアンプ１３０は、ミキサ１３１の出力を増幅する。
【００２４】
なお、前記シンセサイザ１０３は、通信中に、ミキサ１１１、直交ミキサ１１３、ミキサ１３１、直交ミキサ１３３の同期をとる。タイムベース１５０は、クロック信号を各部に供給する。
【００２５】
ユーザーインターフェース系において、ジョグダイヤル１６４は、ユーザーが回転させることにより入力を行う入力機器である。ＬＣＤ１６５は、ユーザーにメッセージや入力文字などを見せるディスプレイである。なお、ＬＣＤ１６５は、携帯通信端末１を開いているときに見ることができるメインディスプレイと、閉じているときに見ることができるサブディスプレイとを有する。番号キー１６６は、“０”から“９”までの番号や“＃”などを入力するためのキーである。ＬＥＤ１６７は、点灯及び消灯によりユーザーにメッセージを伝えるためのものである。タッチセンサ１６８は、ユーザーの指が接触したことを検出する。なお、タッチセンサ１６８は、ユーザーの指紋を検出するようにしてもよい。バイブレータ１７４は、着信を知らせるデバイスであり、着信すると振動する。
【００２６】
また、電源系電池１７１は、電源１７２及びＡ／Ｄコンバータ１７３に電力を供給する。電源１７２は携帯通信端末１の電源である。Ａ／Ｄコンバータ１７３は、信号をＣＰＵ１６０に供給する。
【００２７】
ＣＰＵ１６０は、上記各部を制御する演算処理装置であり、ＲＯＭ１６３に格納されたプログラムのコマンドを順次実行し、種々の機能を果たす。ＲＡＭ１６２は、ＣＰＵ１６０のワーキングメモリ等として使用され、ＣＰＵ１６０による演算結果を一時的に格納する。なお、本実施形態においてこのＲＡＭ１６２には、ルックアップテーブルＴ１やＴ２が格納され、ＣＰＵ１６０から要求に応じて参照される。ＲＯＭ１６３にはＣＰＵ１６０用のプログラムが記録され、ＣＰＵ１６０からの要求に応じて、プログラムの実行命令を順次出力する。ＥＥＰＲＯＭ１６１には、短縮ダイヤルなどのユーザーデータや、機体固有のＩＤや電話番号が記録されている。
【００２８】
ルックアップテーブルＴ１は、図３（ａ）に示すように、電子メールアドレスや着信の発信電話番号と、重要度とを対応付けるテーブルデータであり、ルックアップテーブルＴ２は、図３（ｂ）に示すように、受信メールに含まれるキーワードと、受信メールの重要度とを対応付けるテーブルデータである。なお、図３に示した例では、メールアドレスや電話番号に重要度を対応付けたが、本発明はこれに限定されるものではなく、例えば、メールアドレスに含まれる名前部分やドメイン部分について重要度を設定してもよく、電話番号に対応付けられたユーザー氏名に需要度を対応付けてもよい。
【００２９】
そして、本実施形態においてＣＰＵ１６０は、図２に示すように、上記プログラムを実行することによって、受信メールや着信信号の属性を判定する属性判定部１６０ａの機能を果たす。この属性判定部１６０ａは、着呼やメール受信等があった際に、ＲＡＭ１６２に格納されたルックアップテーブルＴ１又はＴ２を照合し、この照合結果に基づいて受信メールの属性を判定し、判定結果を抵抗付加部１８０に出力する。
【００３０】
この抵抗付加部１８０は、本実施形態では、押圧軸３１ａ，３１ｂを進退駆動させるアクチュエータであり、属性判定部１６０ａが判定した重要度に基づいて駆動する。詳述すると、図４に示すように、重要な電子メールや着信がないとき（重要度１のとき）には、押圧軸３１ａ及び３１ｂの両者を本体部１０側に後退させ、回動軸３０に対して摩擦抵抗を付加しないようにする（状態１）。そして、重要度が２、及び３と高くなるにつれて、押圧軸３１ａ，３１ｂを順次前進させて蓋体部２０側に押圧させ、回動軸３０を回転させる際の摩擦抵抗を高めていく（状態２、状態３）。
【００３１】
また、本実施形態において、ＣＰＵ１６０は、番号キー１６６やジョグダイヤル１６４等の操作デバイスを監視し、受信メールや着信履歴がユーザーにより閲覧されたか否かを判断し、閲覧がされた場合には、抵抗付加部１８０による抵抗付加を解除する監視部としての機能も果たす。
【００３２】
（携帯通信端末の動作）
以上の構成を有する本実施形態に係る携帯通信端末の動作は、以下の通りである。図５は、本実施形態に係る携帯通信端末の動作を示すフローチャート図である。なお、ここでは携帯通信端末１が折り畳まれて、メール受信や着信応答に対する待ち受け状態にあるものとする。
【００３３】
そして、メールの受信や着信があると（Ｓ１０１）、属性判定部１６０ａにより、メールの送信者や発信元電話番号についてルックアップテーブルＴ１を参照するとともに、電子メールについてその内容を解析し、キーワードの検索を行い、ルックアップテーブルＴ２を参照する（Ｓ１０２）。この属性判定部１６０ａにおける参照結果に基づいて、重要度を決定し、重要度が高い受信メールや着信が含まれているかを判断する（Ｓ１０４）。
【００３４】
ステップＳ１０４において重要度が高いものが含まれていないと判断した場合には（ステップＳ１０４における”Ｎ”）、待ち受け状態に戻り、次のメール受信又は着信があった際に、上記ステップＳ１０１〜Ｓ１０４を繰り返す。一方、ステップＳ１０４において重要度が高いものが含まれていると判断した場合には（ステップＳ１０４における”Ｙ”）、その重要度に応じて、抵抗付加部１８０を駆動させ、回動軸３０の摩擦抵抗を変化させる（Ｓ１０５）。このとき、重要度が付与された受信メール等が複数含まれている場合には、それらのうち最も高い重要度に従って摩擦抵抗を変化させる。
【００３５】
次いで、受信メールや着信履歴の閲覧がされたか否かを監視する（Ｓ１０６）。すなわち、ステップＳ１０１〜Ｓ１０６をループ処理することによって、メール受信や着信を待ち受けるとともに、ステップＳ１０６において本体部１０に対する操作を検出し、受信メールや着信履歴の閲覧がされたか否かを判断し、閲覧がされていなければ（ステップＳ１０６における”Ｎ”）、ループ処理を継続し引き続き監視を行い、閲覧がなされれば（ステップＳ１０６における”Ｙ”）、ステップＳ１０７に移行する。ステップＳ１０７では、ユーザーによる受信メールや着信履歴の閲覧に応じて、回動軸３０に付加していた抵抗を解除する。
【００３６】
（携帯通信端末の作用・効果）
以上説明した本実施形態に係る携帯通信端末によれば、いわゆるジャックナイフ式折り畳み機構において、受信した電子メールや着信履歴の重要度に応じて、押圧軸３１ａ及び３１ｂを蓋体部２０に向けて前進させて押圧することにより、蓋体部２０を開く際の回動抵抗を変化させるため、ユーザーは、蓋体部２０を回動させる操作の時点で、受信した電子メールや着信の重要度を、目視確認することなく瞬時に把握することができる。
【００３７】
（変更例）
なお、本発明に係る携帯通信端末は、上述した実施形態に限定されるものではなく、種々の変更を加えることができる。
【００３８】
（１）変更例１
上述した実施形態では、押圧軸を３１ａ及び３１ｂの２本としたが、例えば図６に示すように、押圧軸３１ａ〜３１ｄの４本とするなど、任意の本数とすることができる。この場合には、押圧する本数や位置により、摩擦抵抗力を多段的に調節することが可能となり、受信メール等の重要度について多様な表現を実現することができる。
【００３９】
また、上記実施形態では、押圧する押圧軸の本数により摩擦抵抗力を調節したが、例えば、押圧軸の押圧力を変化させることにより、摩擦抵抗を変化させてもよい。
【００４０】
（２）変更例２
また、上述した実施形態では、抵抗付加部を押圧軸３１ａ，３１ｂを進退駆動させるアクチュエータとしたが、例えば図７に示すように、回動軸３０を金属で形成するとともに、抵抗付加部を、回動軸３０に磁力を付加することにより回動摩擦抵抗を変化させる構成としてもよい。
【００４１】
詳述すると、抵抗付加部を、回動軸３０の端部に、回動軸３０の軸方向と垂直に回転する一対の電動モータ４１及び４２を配置し、この電動モータ４１，４２により回転される磁石４１ａ〜４１ｄ、及び４２ａ〜４２ｄを設ける。そして、電動モータ４１，４２を回転駆動させることによって回動軸３０の端部に対向する磁石を切り替える。これらの磁石４１ａ〜４１ｄ、及び４２ａ〜４２ｄは、それぞれ異なる磁力を備えており、回動軸３０の端部に対向する磁石を切り替えることにより、段階的な回動摩擦抵抗を実現することができる。
【００４２】
なお、この磁力による摩擦抵抗の調整としては、回動軸３０に対して進退可能に配置した磁石を採用することもでき、回動軸３０までの距離を調節することによって段階的な摩擦抵抗を表現するようにしてもよい。さらに、磁力を付加する他の手段としては、電気的な制御により磁力を付加する電磁石などを用いることができ、電磁石に印加する電圧を調節したりすることによって、回動摩擦抵抗を段階的に変化させてもよく、これにより受信メール等の属性を段階的に表現することができる。
【００４３】
（３）変更例３
さらに、上述した実施形態では、携帯通信端末が本体部１０に対して蓋体部２０が平行に回動するジャックナイフ式とし、押圧軸を、本体部１０の操作面から垂直に突出させ、折り畳まれた蓋体部２０の背面（表示面の裏側）に垂直に押圧する形態としたが、例えば図８（ａ）乃至（ｃ）に示すように、本体部１０と蓋体部２０とが回動軸３０を介して屈曲可能に連結され、蓋体部２０が本体部１０に対して垂直に回転する折り畳み式とすることができる。
【００４４】
詳述すると、この変更例３において蓋体部２０と本体部１０は、同心の筒状体をなすそれぞれの可動部分２０ａ及び１０ａが、回動軸３０により軸支された構成となっており、折り曲げ動作時には、中央の蓋体部側の可動部分２０ａが、本体部側の可動部分１０ａに対して相対的に回動する。
【００４５】
また、本変更例３において押圧軸３２ａ〜３２ｃは、本体部１０内部に、回動軸３０に対して垂直（図中矢印方向）に進退可能に複数設けられており、前進した状態において、蓋体部側の可動部分２０ａに押圧される構成となっている。そして、上記実施形態と同様に、抵抗付加部としてのアクチュエータ等により、これら押圧軸３２ａ〜３２ｃの押圧する本数を調節することにより、蓋体部２０を回動させる際の摩擦抵抗を変化させる。
【図面の簡単な説明】
【００４６】
【図１】実施形態に係る携帯通信端末１の外観を示す正面図である。
【図２】実施形態に係る携帯通信端末１の内部構成を示すブロック図である。
【図３】実施形態に係るルックアップテーブルのデータ構成を示す説明図である。
【図４】実施形態に係る押圧軸の駆動状態を示す説明図である。
【図５】実施形態に係る携帯通信端末の動作を示すフローチャートである。
【図６】変更例１に係る携帯通信端末の外観を示す正面図である。
【図７】変更例２に係る携帯通信端末の内部構成を示す説明図である。
【図８】変更例３に係る携帯通信端末の説明図であり、（ａ）は斜視図、（ｂ）は側面図、（ｃ）は正面図である。
【符号の説明】
【００４７】
Ｔ１，Ｔ２  ルックアップテーブル、１  携帯通信端末、３  回転ジョイント部、１０  本体部、１０ａ，２０ａ  可動部分、２０  蓋体部、３０  回動軸、３１ａ〜３１ｄ，３２ａ〜３２ｃ  押圧軸、４１，４２  電動モータ、４１ａ〜４１ｄ  磁石、１６０  ＣＰＵ、１６０ａ  属性判定部、１６２  ＲＡＭ、１６３  ＲＯＭ、１６４  ジョグダイヤル、１６５  ＬＣＤ、１６６  番号キー、１６７  ＬＥＤ、１６８  タッチセンサ、１８０  抵抗付加部
【図１】
2005260609.tif 000003
【図２】
2005260609.tif 000004
【図３】
2005260609.tif 000005
【図４】
2005260609.tif 000006
【図５】
2005260609.tif 000007
【図６】
2005260609.tif 000008
【図７】
2005260609.tif 000009
【図８】
2005260609.tif 000010